(57)【要約】【課題】簡易な手法で、ユーザの意図に反して充放電が停止されることを防止する。【解決手段】充放電装置（１）は、充放電装置の操作前から個人が予め所有している個人特定情報を、取得する情報取得部（２０）と、個人特定情報を登録する情報登録部（６３）と、個人特定情報を登録した場合に、コネクタ（３）をロックするコネクタロック部（３１）と、を備える。【選択図】図１
2019170025.tif 000002
【特許請求の範囲】
【請求項１】
蓄電池を搭載する電動車両の充電口に接続されるコネクタを備え、前記コネクタを前記充電口に接続することにより、前記蓄電池に対する充放電を行う充放電装置であって、
前記充放電装置の操作前から個人が予め所有しており、かつ個人を特定するための個人特定情報を取得する情報取得部と、
前記個人特定情報を登録する情報登録部と、
前記個人特定情報を登録した場合に、前記充電口に接続されたコネクタをロックするコネクタロック部と、を備えることを特徴とする充放電装置。
【請求項２】
前記情報取得部は、前記個人特定情報が記憶されたカードから、前記個人特定情報を取得することを特徴とする請求項１に記載の充放電装置。
【請求項３】
前記情報取得部は、前記個人の生体情報を前記個人特定情報として取得することを特徴とする請求項１又は２に記載の充放電装置。
【請求項４】
前記情報取得部は、前記電動車両のリモコンキーに記憶された、当該リモコンキーを特定するための個体特定情報を、前記個人特定情報として取得することを特徴とする請求項１から３のいずれか１項に記載の充放電装置。
【請求項５】
前記情報取得部は、前記個人特定情報が記憶された携帯情報端末から、前記個人特定情報を取得することを特徴とする請求項１から４のいずれか１項に記載の充放電装置。
【請求項６】
前記情報登録部が登録した個人特定情報と、前記充放電を停止するときに前記情報取得部が取得した個人特定情報とが一致するか否かを判定する情報判定部を備え、
前記コネクタロック部は、前記情報判定部により２つの前記個人特定情報が一致すると判定された場合に、前記コネクタのロックを解除することを特徴とする請求項１から５のいずれか１項に記載の充放電装置。
【請求項７】
前記コネクタロック部は、満充電となった場合に、前記コネクタのロックを解除することを特徴とする請求項１から６のいずれか１項に記載の充放電装置。
【請求項８】
蓄電池を搭載する電動車両の充電口に接続されるコネクタを備え、前記コネクタを前記充電口に接続することにより、前記蓄電池に対する充放電を行う充放電装置であって、
個人によるジェスチャ動作を、個人を特定するための個人特定情報として取得する情報取得部と、
前記個人特定情報を登録する情報登録部と、
前記個人特定情報を登録した場合に、前記充電口に接続されたコネクタをロックするコネクタロック部と、を備えることを特徴とする充放電装置。
【請求項９】
蓄電池を搭載する電動車両の充電口に接続されるコネクタを備え、前記コネクタを前記充電口に接続することにより、前記蓄電池に対する充放電を行う充放電装置と通信可能に接続されるサーバであって、
前記充放電装置の操作前から個人が予め所有しており、かつ個人を特定するための個人特定情報を取得する情報取得部と、
前記個人特定情報を登録する情報登録部と、
前記個人特定情報を登録した場合に、前記充電口に接続されたコネクタをロックさせるためのコネクタロック指示を、前記充放電装置に送信する情報送信部と、を備えることを特徴とするサーバ。
【請求項１０】
前記情報登録部が登録した個人特定情報と、前記充放電を停止するときに前記情報取得部が取得した個人特定情報とが一致するか否かを判定する情報判定部を備え、
前記情報送信部は、前記情報判定部により２つの前記個人特定情報が一致すると判定された場合に、前記コネクタのロックを解除させるためのコネクタロック解除指示を、前記充放電装置に送信することを特徴とする請求項９に記載のサーバ。
【発明の詳細な説明】
【技術分野】
【０００１】
本発明は、電動車両に対して充放電を行う充放電装置等に関する。
【背景技術】
【０００２】
近年、電気自動車（ＥＶ：Electric Vehicle）、プラグインハイブリッド車（ＰＨＶ：Plug in Hybrid Vehicle、ＰＨＥＶ：Plug-in Hybrid Electric Vehicle）、燃料電池自動車（ＦＣＶ：Fuel Cell Vehicle）等の電動車両が普及している。電動車両が備える蓄電池に対する充放電は、充放電装置により制御される。上記蓄電池に対して充電を行う充電装置の一例が、特許文献１に開示されている。
【０００３】
特許文献１の車両用充電システムでは、充電制御ユニットは、メモリに充電情報と関連付けてパスワードを記憶させ、入力されたパスワードとメモリに記憶されたパスワードとが合致した場合に充電を終了させる。これにより、充電中に不注意等により充電が停止されてしまうことを防止できる。
【先行技術文献】
【特許文献】
【０００４】
【特許文献１】特許第５６７０１０９号公報（２０１４年１２月２６日登録）
【発明の概要】
【発明が解決しようとする課題】
【０００５】
しかしながら、ユーザの意図に反して充放電が停止されることを防止するためにパスワードを用いる場合、ユーザがパスワードを忘れてしまう可能性がある。この場合、特許文献１のように、精算情報を用いてパスワードを解除したり、警備会社又は管理会社が遠隔操作によりパスワードを解除したりすることになる。
【０００６】
また、特許文献１では、パスワードを忘れないように、プリンタユニットによりパスワードを印字することも可能である。しかし、この場合であっても、パスワードが印字された紙を紛失してしまう可能性がある。
【０００７】
本発明の一態様は、簡易な手法で、ユーザの意図に反して充放電が停止されることを防止することが可能な充放電装置等を実現することを目的とする。
【課題を解決するための手段】
【０００８】
上記の課題を解決するために、本発明の一態様に係る充放電装置は、蓄電池を搭載する電動車両の充電口に接続されるコネクタを備え、前記コネクタを前記充電口に接続することにより、前記蓄電池に対する充放電を行う充放電装置であって、前記充放電装置の操作前から個人が予め所有しており、かつ個人を特定するための個人特定情報を取得する情報取得部と、前記個人特定情報を登録する情報登録部と、前記個人特定情報を登録した場合に、前記充電口に接続されたコネクタをロックするコネクタロック部と、を備える。
【０００９】
上記の構成によれば、充放電装置の操作前から個人が予め所有している個人特定情報を登録した場合に、充電口に接続されたコネクタをロックできる。つまり、当該個人特定情報の登録を条件として、電動車両への充放電を開始できる。
【００１０】
また、個人特定情報を登録しておくことで、電動車両への充放電の停止前に、当該個人登録情報の認証を行うことが可能となる。つまり、個人特定情報を登録しておくことで、当該個人登録情報の認証を行うことを、電動車両への充放電の停止条件とすることができる。この場合、充放電装置は、所定の停止条件を満たす（例：満充電となる）か、又は個人登録情報の認証に成功しない限り充放電を停止できない。そのため、ユーザの意図に反して充放電が停止されることを防止できる。
【００１１】
また、ユーザの意図に反して充放電が停止されることを防止するために、充放電装置の操作前から個人が予め所有している個人特定情報を用いることで、ユーザが忘れてしまうことに起因して必要となるシステムが不要となる。
【００１２】
つまり、充放電装置の操作前から個人が予め所有している個人特定情報を登録し、かつ登録したことを電動車両への充放電の開始条件とすることで、簡易な手法で、ユーザの意図に反して充放電が停止されることを防止することが可能となる。
【００１３】
なお、充放電装置の操作前から個人が予め所有している個人特定情報としては、（１）個人が生来有している生体情報、又は（２）充放電装置の操作前から個人が予め所有している物体に記憶されている個人特定情報が挙げられる。当該物体としては、例えば、充放電装置を使用するための会員登録を行った場合に発行される会員登録カードを除くカード類、携帯情報端末、又はリモコンキーが挙げられる。
【００１４】
さらに、本発明の一態様に係る充放電装置では、前記情報取得部は、前記個人特定情報が記憶されたカードから、前記個人特定情報を取得しても構わない。
【００１５】
上記の構成によれば、カードに記憶された個人特定情報を用いて、コネクタをロックできる。また、個人特定情報が記憶されたカードであれば、任意のカードを用いることが可能であるため、充放電装置を使用するための会員登録を行うことなく、充放電装置を使用できる。
【００１６】
さらに、本発明の一態様に係る充放電装置では、前記情報取得部は、前記個人の生体情報を前記個人特定情報として取得しても構わない。
【００１７】
上記の構成によれば、生体情報を用いてコネクタをロックできる。また、会員登録を行うことなく、充放電装置を使用できる。
【００１８】
さらに、本発明の一態様に係る充放電装置では、前記情報取得部は、前記電動車両のリモコンキーに記憶された、当該リモコンキーを特定するための個体特定情報を、前記個人特定情報として取得しても構わない。
【００１９】
上記の構成によれば、リモコンキーに記憶された個体特定情報を用いてコネクタをロックできる。また、会員登録を行うことなく、充放電装置を使用できる。
【００２０】
さらに、本発明の一態様に係る充放電装置では、前記情報取得部は、前記個人特定情報が記憶された携帯情報端末から、前記個人特定情報を取得しても構わない。
【００２１】
上記の構成によれば、携帯情報端末に記憶された個人特定情報を用いてコネクタをロックできる。また、会員登録を行うことなく、充放電装置を使用できる。
【００２２】
さらに、本発明の一態様に係る充放電装置では、前記情報登録部が登録した個人特定情報と、前記充放電を停止するときに前記情報取得部が取得した個人特定情報とが一致するか否かを判定する情報判定部を備え、前記コネクタロック部は、前記情報判定部により２つの前記個人特定情報が一致すると判定された場合に、前記コネクタのロックを解除しても構わない。
【００２３】
上記の構成によれば、電動車両への充放電の停止前に個人登録情報の認証を行うことで、ユーザの意図に反して充放電が停止されることを防止できる。
【００２４】
さらに、本発明の一態様に係る充放電装置では、前記コネクタロック部は、満充電となった場合に、前記コネクタのロックを解除しても構わない。
【００２５】
上記の構成によれば、満充電となった場合には、個人特定情報の認証を行わずとも充放電を停止できる。そのため、個人特定情報の認証を待たずに、次の電動車両への充放電を開始できる。
【００２６】
さらに、上記の課題を解決するために、本発明の一態様に係る充放電装置は、蓄電池を搭載する電動車両の充電口に接続されるコネクタを備え、前記コネクタを前記充電口に接続することにより、前記蓄電池に対する充放電を行う充放電装置であって、個人によるジェスチャ動作を、個人を特定するための個人特定情報として取得する情報取得部と、前記個人特定情報を登録する情報登録部と、前記個人特定情報を登録した場合に、前記充電口に接続されたコネクタをロックするコネクタロック部と、を備える。
【００２７】
上記の構成によれば、個人によるジェスチャ動作を個人特定情報として登録することで、コネクタをロックできる。つまり、当該個人特定情報の登録を条件として、電動車両への充放電を開始できる。また、上述したように、個人特定情報を登録しておくことで、当該個人登録情報の認証を行うことを、電動車両への充放電の停止条件とすることができるため、ユーザの意図に反して充放電が停止されることを防止できる。
【００２８】
また、ユーザがジェスチャ動作を行うだけで、充放電装置により個人特定情報が取得される。つまり、充放電装置は、簡易な手法で、ユーザの意図に反して充放電が停止されることを防止することが可能となる。
【００２９】
上記の課題を解決するために、本発明の一態様に係るサーバは、充電口に接続することにより、前記蓄電池に対する充放電を行う充放電装置と通信可能に接続されるサーバであって、前記充放電装置の操作前から個人が予め所有しており、かつ個人を特定するための個人特定情報を取得する情報取得部と、前記個人特定情報を登録する情報登録部と、前記個人特定情報を登録した場合に、前記充電口に接続されたコネクタをロックさせるためのコネクタロック指示を、前記充放電装置に送信する情報送信部と、を備える。
【００３０】
上記の構成によれば、サーバにより、充放電装置の操作前から個人が予め所有している個人特定情報を登録したことを条件として、充放電装置は電動車両への充放電を開始できる。
【００３１】
また、個人特定情報を登録しておくことで、電動車両への充放電の停止前に、サーバにより当該個人登録情報の認証を行うことが可能となる。そのため、上述のように、ユーザの意図に反して充放電が停止されることを防止できる。
【００３２】
また、ユーザの意図に反して充放電が停止されることを防止するために、充放電装置の操作前から個人が予め所有している個人特定情報を用いることは、ユーザが忘れてしまうことに起因したシステムが不要となる。
【００３３】
つまり、充放電装置の操作前から個人が予め個人特定情報を登録し、かつ登録したことを電動車両への充放電の開始条件とすることで、簡易な手法で、ユーザの意図に反して充放電が停止されることを防止することが可能となる。
【００３４】
さらに、本発明の一態様に係るサーバでは、前記情報登録部が登録した個人特定情報と、前記充放電を停止するときに前記情報取得部が取得した個人特定情報とが一致するか否かを判定する情報判定部を備え、前記情報送信部は、前記情報判定部により２つの前記個人特定情報が一致すると判定された場合に、前記コネクタのロックを解除させるためのコネクタロック解除指示を、前記充放電装置に送信しても構わない。
【００３５】
上記の構成によれば、サーバにより、電動車両への充放電の停止前に個人登録情報の認証を行うことで、ユーザの意図に反して充放電が停止されることを防止できる。
【発明の効果】
【００３６】
本発明の一態様に係る充放電装置及びサーバによれば、簡易な手法で、ユーザの意図に反して充放電が停止されることを防止できる。
【図面の簡単な説明】
【００３７】
【図１】実施形態１に係る充放電システムの構成例を示す図である。
【図２】上記充放電システムが備える充放電装置の処理の一例を示すフローチャートである。
【図３】実施形態２に係る充放電システムの構成例を示す図である。
【発明を実施するための形態】
【００３８】
本発明の一態様に係る充放電装置について、以下の各実施形態において説明する。なお、本願において「充放電装置」は、（１）充電及び放電の両方を行うことが可能な充放電装置、（２）充電のみを行う充電装置、並びに、（３）放電動作のみを行う放電装置のいずれかの装置を指す。換言すれば、本願の充放電装置は、充放電装置、充電装置及び放電装置を含む概念である。また、本願において「充放電」は、充電及び放電の両方の動作を包括的に含むものである。つまり、本願の「充放電」は、充電及び放電の少なくともいずれかの動作を指すものである。
【００３９】
〔実施形態１〕
以下、本発明の実施の形態について、詳細に説明する。
【００４０】
〔充放電システムの構成〕
図１は、本実施形態に係る充放電システムの構成例を示す図である。図１に示すように、充放電システムは、充放電装置１、及び充放電装置１に接続可能な電動車両１００を含む。
【００４１】
充放電装置１は、電動車両１００が搭載する車載蓄電池１０２に対する充放電を制御するものである。充放電装置１は、例えば、公共施設、民間事業者の施設、又は、マンションの駐車場に設置され、不特定多数の者が使用可能である。また、充放電装置１は、例えば、一般住宅の駐車場に設置されても構わない。公共施設、又は民間事業者の施設としては、例えば、高速道路のサービスエリア、又はショッピングモール等の商業複合施設が挙げられる。
【００４２】
電動車両１００は、走行時に用いられる電力を蓄えるための大容量の車載蓄電池１０２を搭載する。電動車両１００は、駆動用の蓄電池を搭載しており、当該蓄電池内の電力を駆動力に変換して走行可能な各種の車両を含む。当該車両としては、例えば、電気自動車（ＥＶ：Electric Vehicle）、プラグインハイブリッド車（ＰＨＶ：Plug in Hybrid Vehicle、ＰＨＥＶ：Plug-in Hybrid Electric Vehicle）、又は燃料電池自動車（ＦＣＶ：Fuel Cell Vehicle）が挙げられる。
【００４３】
〔充放電装置の構成〕
充放電装置１は、充放電装置本体２、コネクタ３及びケーブル４を備える。
【００４４】
充放電装置本体２は、車載蓄電池１０２に対する充放電を制御するものである。充放電装置本体２は、例えば、（１）ユーザによる入力操作、（２）電動車両１００からの指示、又は、（３）ネットワークを介して接続可能なコントローラ（不図示）からの指示に基づき、車載蓄電池１０２に対する充放電を行う。つまり、充放電装置本体２は、これらのいずれかの指示に基づき、充電運転及び放電運転の開始、停止又は切替えを行う。コントローラとしては、例えばＥＭＳ（Energy Management System）コントローラが挙げられる。
【００４５】
また、充放電装置本体２は、商用電力系統又は電子機器（いずれも不図示）と電力の授受が可能なように接続されていても構わない。この場合、充放電装置本体２は、商用電力系統の停電時に、車載蓄電池１０２内の電力を電子機器に供給する自立運転を行うことが可能である。また、非停電時に、商用電力系統からの電力に加え、車載蓄電池１０２内の電力を電子機器に供給する系統連系運転を行うことも可能である。
【００４６】
また、充放電装置本体２は、充放電装置１の使用に対する料金の支払い（課金）をユーザに要求しても構わない。この場合、例えば、充電量又は充電時間に基づき料金（単価）が予め設定されている。充放電装置本体２は、充放電装置１の使用時に、ユーザに、充電量又は充電時間を入力（選択）させた後に、充電量又は充電時間に基づく料金の支払いを要求する。充放電装置本体２は、料金の支払いが完了した時点で、充放電装置１の使用を許可する。つまり、この場合、充放電前に（事前に）料金の支払いが行われる。
【００４７】
充放電前の料金の支払いの場合、定額制を採用しても構わない。この場合、充放電装置本体２は、例えば、充放電装置１の使用時に、予め設定された充電量又は充電時間に対応する料金をユーザに提示する。充放電装置本体２は、提示した料金の支払いが完了した時点で、充放電装置１の使用を許可する。
【００４８】
料金の支払いは、充放電装置１による充放電が完了した後（事後）であっても構わない。充放電完了後の料金の支払いの場合、従量制を採用しても構わない。この場合、充放電装置本体２は、上記単価と、実際の充電量及び充電時間とに基づき、料金（請求金額）を算出しユーザに提示する。充放電装置本体２は、提示した料金の支払いが完了した時点で、コネクタ３のロックを解除する。つまり、この場合、所定の停止条件を満たした場合、又は個人特定情報の認証が成功した場合であっても、充放電装置本体２は、料金の支払い完了を認識しない限り、コネクタ３のロックを解除しない。なお、上記所定の停止条件としては、例えば、予め設定された充放電の終了容量への到達、満充電容量への到達、又は、外部（例：電動車両１００）からの停止指示が挙げられる。
【００４９】
また、充放電装置１は、車載蓄電池１０２に関する電池情報に基づく複数の料金情報（当該料金情報に対応する充放電量）を提示することで、複数の料金情報から１つの料金情報をユーザに選択させても構わない。この場合、例えば、充放電装置本体２は、コネクタ３が電動車両１００の充電口１０１に接続されたときに、車載蓄電池１０２の電池残容量（又は電池充電率）及び電池総容量を示すデータを、電池情報として電動車両１００から取得する。充放電装置本体２は、取得した電池情報、及び、充電量又は充電時間に基づき予め設定された単価に基づき、車載蓄電池１０２の現状の充電率から所定の充電率に到達するまでの料金、又は所定の時間の充放電に係る料金等を算出し、算出した料金をユーザに提示する。充放電装置本体２は、例えば、「電池充電率８０％までの充電＝○○円」、「満充電までの充電＝△△円」、及び「●時間の充電＝▽▽円」といった複数の料金情報を提示する。ユーザにより１つの料金情報が選択されると、充放電装置本体２は、当該料金情報に示される充放電を行う。なお、料金情報に基づく料金の支払いは、充放電前であっても事後であっても構わない。
【００５０】
現状の充放電システムでは、会員登録（事前登録）を行い、毎月定額の会員費用を支払うことで、充放電システムの使用を許可している場合が多い。このような充放電システムの場合、充放電システムを使用するために、会員登録を行うという手間が発生する。一方、上記の場合、充放電装置１は、充放電装置１を使用するたびに料金の支払いを要求する。ユーザは、会員登録という手間を発生させることなく、充放電装置１を使用できる。つまり、料金の支払い要する充放電システムにおいても、料金さえ支払えば誰でも充放電装置１を使用できる。また、充電量又は充電時間に基づき料金設定が行われることで、ユーザは、充放電装置１の使用時に、充電量又は充電時間に応じた料金を支払うだけでよい。
【００５１】
なお、会員登録無しで使用できる充放電装置１において、料金の支払い（決済）は、例えば、現金、クレジットカード、又はＩＣ（Integrated Circuit）カード（例：交通系ＩＣカード）によって行われる。
【００５２】
コネクタ３は、電動車両１００の充電口１０１に接続されるものである。充放電装置１は、コネクタ３の充電口１０１への接続により、車載蓄電池１０２に対する充放電を行うことが可能となる。コネクタ３は、充放電時に、充電口１０１にロックされて充電口１０１から外れないようにするための機構であるコネクタロック部３１を備える。
【００５３】
ケーブル４は、一端が充放電装置本体２に接続され、他端にコネクタ３が設けられている。ケーブル４には、例えば、動力線、アナログ線及びＣＡＮ信号線が含まれる。動力線は、車載蓄電池１０２を充放電するために、充放電装置本体２からコネクタ３に、又はコネクタ３から充放電装置本体２に電力を供給するものである。アナログ線及びＣＡＮ信号線は、車載蓄電池１０２の充放電時に、充放電装置本体２とコネクタ３との間でやり取りされる各種の信号を送受信するものである。
【００５４】
〔充放電装置本体の構成〕
充放電装置本体２は、充放電回路１０、情報取得部２０、タッチパネル３０、スタートボタン４０、ストップボタン５０、制御部６０、及び記憶部７０を備える。
【００５５】
充放電回路１０は、内部に設けられた蓄電池（不図示）又は外部からの電力を、車載蓄電池１０２へと供給する（充電運転）。また、充放電回路１０は、車載蓄電池１０２から電力を取り出し、内部に設けられた蓄電池又は外部へと供給する（放電運転）。
【００５６】
情報取得部２０は、充放電装置１の操作前から個人が予め所有しており、かつ個人を特定するための個人特定情報を取得する。情報取得部２０は、特に、入力に手間を要するパスワード以外の個人特定情報を取得する。情報取得部２０は、充放電の開始前（スタートボタン４０が押下された時）、又は停止前（ストップボタン５０が押下された時）に、個人特定情報を受付可能な状態となる。情報取得部２０が個人特定情報を取得する取得先、及び個人特定情報の具体例については、個人特定情報の取得態様の例を挙げて後述する。
【００５７】
タッチパネル３０は、ユーザの入力操作を受け付けるとともに、充放電に関する種々の表示を行う。なお、個人特定情報の取得形態によっては、タッチパネル３０が情報取得部２０の機能を有していてもよい。
【００５８】
スタートボタン４０は、ユーザの入力操作として、充放電を開始するための開始指示を受付ける操作部である。ストップボタン５０は、ユーザの入力操作として、充放電を停止するための停止指示を受付ける操作部である。なお、タッチパネル３０で開始指示及び停止指示を受付ける場合には、スタートボタン４０及びストップボタン５０は不要である。
【００５９】
制御部６０は、充放電装置１を統括的に制御するものであり、主として、充放電制御部６１、情報取得制御部６２、情報登録部６３、情報判定部６４、及びコネクタ制御部６５を備える。
【００６０】
充放電制御部６１は、ユーザによる入力操作等に基づき、充放電回路１０を制御することで、車載蓄電池１０２に対する充放電を制御する。また、充放電制御部６１は、充放電中であることを、タッチパネル３０に表示しても構わない。タッチパネル３０への表示に代えて、例えば発光ダイオードを設けておき、発光ダイオードを点灯（点滅）させても構わない。
【００６１】
情報取得制御部６２は、情報取得部２０が個人特定情報を取得できるように、情報取得部２０を制御する。
【００６２】
情報登録部６３は、情報取得部２０が取得した個人特定情報を記憶部７０に記憶することで、個人特定情報を登録する。情報登録部６３は、充放電制御部６１により充放電が停止されるときに、登録した個人特定情報を削除しても構わない。例えば、情報登録部６３は、以下の（１）又は（２）の処理後に、登録した個人特定情報を削除する。
（１）情報判定部６４により後述の認証が成功したと判定された場合に、充放電制御部６１による充放電が停止され、かつコネクタ制御部６５により充電口１０１に接続されたコネクタ３のロックが解除された後。
（２）充放電制御部６１が、所定の停止条件を満たした（例：満充電となった）と判定した場合に、充放電を停止した後。
但し、情報登録部６３は、（１）の場合であっても、充放電制御部６１による充放電が停止された後、コネクタ３のロック解除を待たずに、登録した個人特定情報を削除しても構わない。
【００６３】
情報判定部６４は、情報登録部６３が登録した個人特定情報と、充放電を停止するときに情報取得部２０が取得した個人特定情報とが一致するか否かを判定することで、個人特定情報の認証を行う。
【００６４】
コネクタ制御部６５は、コネクタロック部３１を制御することで、コネクタ３を充電口１０１とロックしたり、そのロックを解除したりする。
【００６５】
本実施形態では、コネクタ制御部６５は、情報登録部６３が個人特定情報を登録した場合に、コネクタロック部３１を制御して、充電口１０１に接続されたコネクタ３をロックする。つまり、コネクタロック部３１は、情報登録部６３が個人特定情報を登録したときに充放電の開始条件を満たしたと判定することで、充電口１０１に接続されたコネクタ３をロックする。充放電制御部６１は、コネクタ３がロックされたことを受けて充放電を開始する。
【００６６】
また、コネクタ制御部６５は、情報登録部６３が登録した個人特定情報と、充放電を停止するときに情報取得部２０が取得した個人特定情報とが一致すると情報判定部６４により判定された場合に、コネクタロック部３１を制御してコネクタ３のロックを解除する。つまり、コネクタロック部３１は、情報判定部６４による個人特定情報の認証が成功したときに充放電の停止条件を満たしたと判定することで、コネクタ３のロックを解除する。また、充放電制御部６１は、個人特定情報の認証が成功したときに充放電の停止条件を満たしたと判定することで（つまり、コネクタ３のロックが解除されるタイミングで）、充放電を停止する。
【００６７】
また、コネクタ制御部６５は、情報判定部６４による個人特定情報の認証が行われなくても、所定の停止条件を満たした場合（例：満充電となった場合）には、コネクタロック部３１を制御して、コネクタ３のロックを解除する。
【００６８】
記憶部７０は、充放電装置１による処理に必要な情報を記憶する。記憶部７０は、例えば、情報登録部６３が登録した個人特定情報を記憶する。
【００６９】
＜個人特定情報の取得態様＞
次に、情報取得部２０による個人特定情報の取得態様の一例について説明する。情報取得部２０は、例えば、カード類、生体、携帯情報端末、又は電動車両のリモコンキーから、個人特定情報を取得する。以下に説明するように、これらの対象物から取得される個人特定情報は、充放電装置１の操作前からユーザが予め所有している情報であり、かつ充放電の開始前にユーザによる設定が不要な情報である。
【００７０】
（カード類からの取得）
例えば、情報取得部２０は、個人特定情報が記憶されたカードから、個人特定情報を取得する。カードとしては、例えば、磁気カード又はＩＣカードが挙げられる。具体的には、クレジットカード、運転免許証、又は交通系ＩＣカード等が挙げられる。これらのカードには、一般に、ユーザを特定するための情報として、例えばユーザ固有の情報（例：ユーザ固有番号）、又はカード固有の情報（例：カード固有番号）が記憶されている。情報取得部２０は、当該情報を個人特定情報として取得する。カードにユーザの氏名が含まれている場合には、情報取得部２０は、当該氏名を示す情報を個人特定情報として取得しても構わない。
【００７１】
カードから個人特定情報を取得する場合、情報取得部２０は、例えばカードに埋め込まれ、かつ情報を記録可能な記憶部材（例：磁気テープ、又はＩＣタグ）に記憶された個人特定情報を読取る読取部として機能する。
【００７２】
情報取得制御部６２は、例えばスタートボタン４０が押下されると、所定時間、情報取得部２０を、カードに記憶された個人特定情報を読取ることが可能な状態とする。この状態においてユーザがカードを情報取得部２０に通す、又は情報取得部２０に接触もしくは接近させることで、情報取得部２０は、カードに記憶された個人特定情報を取得する。情報登録部６３は、情報取得部２０が取得した、カードに記憶された個人特定情報を、記憶部７０に記憶する。
【００７３】
また、情報取得制御部６２は、例えばストップボタン５０が押下されたときも、情報判定部６４が個人特定情報の認証を行うために、所定時間、情報取得部２０を、カードに記憶された個人特定情報を読取ることが可能な状態とする。
【００７４】
（生体からの取得）
例えば、情報取得部２０は、ユーザ個人の生体情報を個人特定情報として取得する。生体情報としては、例えば、ユーザの指紋、顔、目（虹彩）、静脈又は音声の特徴を示す情報が挙げられる。生体から個人特定情報を取得する場合、情報取得部２０は、例えば指先（指紋）、顔、目（虹彩）又は手（静脈）を撮像する撮像装置として機能する。また、情報取得部２０は、例えば音声を取得する集音装置として機能する。
【００７５】
情報取得制御部６２は、例えばスタートボタン４０が押下されると、所定時間、情報取得部２０を、ユーザを撮像可能な状態、又はユーザの音声を取得可能な状態とする。指紋の場合、情報取得部２０は、例えば、指紋を読取る読取領域（情報取得部２０の前）にユーザの指が載置されたときに、当該指（指紋）を撮像する。顔、虹彩又は静脈の場合、情報取得部２０は、例えば、情報取得部２０の前の所定位置に近づけられたユーザの顔、目又は手を撮像する。音声の場合、情報取得部２０は、例えば、所定時間に亘って発せられるユーザの声を取得する。
【００７６】
情報取得制御部６２は、情報取得部２０が取得した指紋、顔、虹彩又は静脈の像を解析することで、指紋、顔、虹彩又は静脈の特徴を特定する。また、情報取得制御部６２は、情報取得部２０が取得したユーザの声を解析することで、ユーザの声紋を特定する。情報登録部６３は、特定された指紋の特徴等を示す個人特定情報を、記憶部７０に記憶する。
【００７７】
また、情報取得制御部６２は、例えばストップボタン５０が押下されたときも、情報判定部６４が個人特定情報の認証を行うために、所定時間、情報取得部２０を、ユーザの生体から個人特定情報を読取ることが可能な状態とする。ここでの認証としては、指紋認証、顔認証、虹彩認証、静脈認証又は声紋認証が挙げられる。
【００７８】
（携帯情報端末からの取得）
例えば、情報取得部２０は、個人特定情報が記憶された携帯情報端末から、個人特定情報を取得する。携帯情報端末としては、例えば、携帯電話機（例：スマートフォン）、又はタブレットが挙げられる。携帯情報端末には、一般に、ユーザを特定するための情報として、機器固有の情報（例：機器固有番号（電話番号等））、メールアドレス、住所又は氏名等の各種情報が記憶されている。情報取得部２０は、当該情報を個人特定情報として取得する。
【００７９】
携帯情報端末から個人特定情報を取得する場合、情報取得部２０は、携帯情報端末との通信を行う通信部として機能する。例えば、携帯情報端末が無線通信機能を有している場合、情報取得部２０は、無線通信機能（無線を介して個人特定情報を受信する機能）を有する。無線通信機能としては、例えば、赤外線通信機能、Ｂｌｕｅｔｏｏｔｈ（登録商標）通信機能、ＮＦＣ（Near Field Communication）通信機能、又はＷｉＦｉ（登録商標）通信機能が挙げられる。携帯情報端末が上述した個人特定情報を示す２次元コード（例：ＱＲコード（登録商標））を生成できる場合、情報取得部２０は、２次元コードを読取る読取部（バーコードリーダ）として機能する。
【００８０】
情報取得制御部６２は、例えばスタートボタン４０が押下されると、所定時間、情報取得部２０を、携帯情報端末に記憶された個人特定情報を読取ることが可能な状態とする。この状態において、ユーザが携帯情報端末において個人特定情報を送信状態（２次元コードの場合には表示状態）とすることで、情報取得部２０は、携帯情報端末に記憶された個人特定情報を取得する。情報登録部６３は、情報取得部２０が取得した、携帯情報端末に記憶された個人特定情報を、記憶部７０に記憶する。
【００８１】
また、情報取得制御部６２は、例えばストップボタン５０が押下されたときも、情報判定部６４が個人特定情報の認証を行うために、所定時間、情報取得部２０を、携帯情報端末に記憶された個人特定情報を読取ることが可能な状態とする。
【００８２】
（電動車両のリモコンキーからの取得）
例えば、情報取得部２０は、電動車両１００のリモコンキー（スマートキーを含む）に記憶された、当該リモコンキーを特定するための個体特定情報（例：リモコンキー固有の番号）を、個人特定情報として取得する。
【００８３】
リモコンキーから個体特定情報を取得する場合、情報取得部２０は、リモコンキーから発信される電波によって伝送される個人特定情報を受信する受信部として機能する。
【００８４】
情報取得制御部６２は、例えばスタートボタン４０が押下されると、所定時間、情報取得部２０を、リモコンキーに記憶された個体特定情報を受信可能な状態とする。つまり、リモコンキーから発信される電波を受信可能な状態とする。この状態において、ユーザがリモコンキーのドアロック又はドアロック解除のための操作ボタンを押下することで、情報取得部２０は、リモコンキーに記憶された個体特定情報を取得する。情報登録部６３は、情報取得部２０が取得した、リモコンキーに記憶された個体特定情報を、記憶部７０に記憶する。
【００８５】
また、情報取得制御部６２は、例えばストップボタン５０が押下されたときも、情報判定部６４が個体特定情報の認証を行うために、所定時間、情報取得部２０を、リモコンキーに記憶された個体特定情報を受信可能な状態とする。
【００８６】
〔充放電装置における処理の流れ〕
次に、図２を用いて、充放電装置１の各種処理の一例について説明する。図２は、充放電システムが備える充放電装置１の処理の一例を示すフローチャートである。本フローチャートでは、一例として、カードに記憶された個人特定情報を用いて、車載蓄電池１０２に対する充放電の開始又は停止が制御される場合について説明する。但し、カード以外の対象物から個人特定情報を取得する場合であっても、その取得のための部材又は動作等が異なる以外については、本フローチャートと同様の処理が行われる。
【００８７】
まず、充放電制御部６１は、スタートボタン４０がオンになったか否かを判定する（Ｓ１）。ユーザによりスタートボタン４０が押下された場合（スタートボタン４０が開始指示の入力操作を受付けた場合）、充放電制御部６１は、スタートボタン４０がオンになったと判定する。また、Ｓ１では、充放電制御部６１は、スタートボタン４０がオンになることを待機している状態である。つまり、スタートボタン４０がオンされるまで（Ｓ１でＮＯ）、Ｓ１の処理が行われる。
【００８８】
この待機している状態において、充放電制御部６１が、スタートボタン４０がオンになったと判定した場合（Ｓ１でＹＥＳ）、情報取得制御部６２は、情報取得部２０を、カードに記憶された個人特定情報を読取り可能な状態とする。またこのとき、制御部６０は、例えばタッチパネル３０を介して、個人特定情報を情報取得部２０に読取らせるようユーザに促すための通知を行っても構わない。これにより、情報取得制御部６２は、カードに記憶された個人特定情報を取得したか否かを判定する待機状態となる（Ｓ２）。つまり、カードに記憶された個人特定情報が読取られるまで（Ｓ２でＮＯ）、Ｓ２の処理が行われる。
【００８９】
情報取得制御部６２は、カードに記憶された個人特定情報を取得したと判定した場合（Ｓ２でＹＥＳ）、情報登録部６３は、情報取得部２０が取得した個人特定情報を登録する（記憶部７０に記憶する）（Ｓ３）。コネクタ制御部６５は、情報登録部６３による個人特定情報の登録が完了すると、コネクタ３をロックする（Ｓ４）。充放電制御部６１は、コネクタ３がロックされた後、車載蓄電池１０２への充放電を開始する（Ｓ５）。
【００９０】
充放電中、充放電制御部６１は、ストップボタン５０がオンになったか否かを判定する（Ｓ６）。ユーザによりストップボタン５０が押下された場合（ストップボタン５０が停止指示の入力操作を受付けた場合）、充放電制御部６１は、ストップボタン５０がオンになったと判定する。
【００９１】
充放電制御部６１は、ストップボタン５０がオンになったと判定した場合（Ｓ６でＹＥＳ）、情報取得制御部６２は、Ｓ２と同様、情報取得部２０を、カードに記憶された個人特定情報を読取り可能な状態とする。タッチパネル３０は、読取り可能な状態である旨の通知を行っても構わない。これにより、情報取得制御部６２は、カードに記憶された個人特定情報を取得したか否かを判定する待機状態となる（Ｓ７）。つまり、カードに記憶された個人特定情報が読取られるまで（Ｓ７でＮＯ）、Ｓ７の処理が行われる。
【００９２】
なお、Ｓ２又はＳ７で個人特定情報を読取り可能な状態となってから所定時間が経過した場合には、情報取得制御部６２が当該状態を解除すると共に、例えばタッチパネル３０を介してその旨をユーザに通知しても構わない。また、充放電制御部６１がスタートボタン４０又はストップボタン５０のオン状態を解除することで、Ｓ１又はＳ６の処理に戻っても構わない。
【００９３】
情報取得制御部６２がカードに記憶された個人特定情報を取得したと判定した場合（Ｓ７でＹＥＳ）、情報判定部６４は、今回取得した個人特定情報を、Ｓ３で登録された個人特定情報と照合する。これにより、情報判定部６４は、これら２つの個人特定情報が一致するか否か（認証が成功したか否か）を判定する（Ｓ８）。情報判定部６４による照合の結果、２つの個人特定情報が一致している（認証が成功した）と判定された場合（Ｓ８でＹＥＳ）、充放電制御部６１は、車載蓄電池１０２への充放電を停止する（Ｓ９）。その後、コネクタ制御部６５は、コネクタロック部３１を制御することでコネクタのロックを解除する（Ｓ１０）。
【００９４】
情報判定部６４により２つの個人特定情報が一致していない（認証が失敗した）と判定された場合（Ｓ８でＮＯ）、Ｓ７の処理に戻る。この場合、情報取得制御部６２は、情報取得部２０を、カードに記憶された個人特定情報を読取り可能な状態とする。また、制御部６０は、例えばタッチパネル３０を介して、認証が失敗したことに伴い、個人特定情報を情報取得部２０に再度読取らせるようユーザに促すための通知を、ユーザに対して行っても構わない。
【００９５】
なお、情報判定部６４は、所定回数、Ｓ８の処理（個人特定情報の認証）を繰り返した後に、認証の成否を判定しても構わない。また、Ｓ８でＮＯと判定した場合には、ストップボタン５０のオン状態を解除すると共に、その旨をユーザに通知しても構わない。
【００９６】
また、Ｓ６においては上述のように、充放電制御部６１は、充放電中、ストップボタン５０の押下の待機状態である。この待機状態において（Ｓ６でＮＯ）、充放電制御部６１は、所定の停止条件を満たしたか（例：満充電になったか）否かを判定している（Ｓ１１）。充放電制御部６１は、所定の停止条件を満たしたと判定した場合（Ｓ１１でＹＥＳ）、ストップボタン５０が押下されていなくても、充放電装置１が正常な充放電の停止可能状態であると判定できるため、車載蓄電池１０２への充放電を停止する（Ｓ９）。
【００９７】
このように、充放電装置１は、Ｓ３で個人特定情報を登録することを充放電の開始条件の１つとし、Ｓ８で個人特定情報の認証が成功することを充放電の停止条件の１つとしている。つまり、充放電装置１は、充放電の停止前に、充放電の開始前と同じ動作（ここでは、カードに記憶された個人特定情報の読取り動作）が行われた場合に、充放電を停止する。
【００９８】
また、充放電装置１は、所定の停止条件を満たすことを充放電の停止条件の１つとしている。つまり、充放電装置１は、個人特定情報の認証が行われずとも、所定の停止条件を満たした場合には、充放電を停止する。
【００９９】
なお、上述したように、情報登録部６３は、Ｓ９で充放電が停止された後、又は、Ｓ１０でコネクタ３のロックが解除された後に、Ｓ３で登録した個人特定情報を削除しても構わない。
【０１００】
＜主な効果＞
従来の充放電装置は、ストップボタンを押下すれば誰でも充放電を停止できるので、ユーザ又は管理者以外の第三者が、例えば悪戯により、充放電を途中で停止する可能性があった。また、会員登録しないと使用できない充放電装置の場合、非登録者は、急な充放電を要する場合であっても充放電装置を使用できなかった。
【０１０１】
本実施形態の充放電装置１によれば、例えばパスワード以外の、充放電装置１の操作前から個人が予め所有している個人特定情報を取得し、かつ登録した場合に、コネクタをロックできる。つまり、充放電装置１の操作前から個人が予め所有している個人特定情報の登録を条件として、電動車両１００への充放電を開始できる。また、個人特定情報を登録しておくことで、当該個人登録情報の認証を行うことを、電動車両１００への充放電の停止条件とすることができる。この場合、充放電装置１は、個人登録情報の認証に成功しない限り充放電を停止できない。そのため、ユーザの意図に反して充放電が停止されることを防止できる。
【０１０２】
充放電装置１は、充放電の開始前及び停止前に、充放電装置１の操作前から個人が予め所有している個人特定情報を、例えばカード類、生体、携帯情報端末、又は電動車両のリモコンキーから取得することを条件としている。つまり、充放電装置１は、充放電の停止時に、充放電の開始時の動作（操作）と同じ動作を受け付けた場合に、充放電を停止し、かつコネクタ３のロックを解除できる。
【０１０３】
ここで、個人特定情報としてパスワードを用いる場合、ユーザには、パスワードを入力するという手間が発生する。また、ユーザはパスワードを覚えておく必要がある。換言すれば、ユーザは、パスワードを忘れてしまう可能性がある。パスワードを忘れた場合には、充放電を停止できなくなってしまう。パスワードを忘れてしまうことを防止するために、例えばプリンタユニットを設けておき、パスワードを印字する手法も考えられる。しかしこの場合、プリンタユニットのメンテナンスが必要となる。また、パスワードを印字した用紙を紛失する可能性もある。さらに、パスワードを忘れた場合、又はパスワードを印字した用紙を紛失した場合、例えば、入力したパスワードとは異なる情報（例：精算情報）を用いてパスワードを解除したり、警備会社又は管理会社によるパスワード解除のための対応が必要となったりする。
【０１０４】
本実施形態の充放電装置１では、充放電装置１の操作前から個人が予め所有している個人特定情報を用いているため、上述したようなパスワードを用いることに起因した事態が生じることを回避できる。例えば、プリンタユニットを備える必要が無いため、プリンタユニットのメンテナンスが必要無く、また、個人特定情報の認証におけるペーパレス化を実現できる。つまり、充放電装置１では、充放電装置１の操作前から個人が予め所有している個人特定情報を登録し、かつ登録したことを電動車両１００への充放電の開始条件とすることで、簡易な手法で、ユーザの意図に反して充放電が停止されることを防止することが可能となる。
【０１０５】
また、個人特定情報は、充放電装置１を使用するための会員登録が行われることなく取得可能な情報である。そのため、ユーザは、充放電装置１を使用するための会員登録を事前に行わずとも、充放電装置１の開始前に個人特定情報を入力するだけで充放電装置１を使用できる。そのため、ユーザは、会員登録無しでも充放電装置１を使用できる。
【０１０６】
このように、本実施形態の充放電装置１によれば、ユーザの利便性を向上させることができる。
【０１０７】
また、充放電装置１は、所定の停止条件を満たした場合には、個人特定情報の認証を行わずとも充放電を停止できる。そのため、例えば充放電の対象となっている電動車両１００のユーザが現場に戻っていなくても、所定の停止条件を満たした場合には、コネクタ３のロックを解除できる。そのため、当該電動車両１００に対する個人特定情報の認証を待つことなく、次の電動車両１００への充放電を開始できる。つまり、次のユーザによる充放電装置１の使用が可能となる。そのため、複数の電動車両１００に対して充放電を行う場合に、充放電の待機時間を低減できる。
【０１０８】
また、本実施形態では、充放電装置１にて個人特定情報の認証を行う場合、当該認証にサーバを使用する必要が無いので、充放電システムの構成を簡素化できる。
【０１０９】
＜その他の個人特定情報の取得態様＞
情報取得部２０は、充放電装置１の操作前から個人が予め所有している個人特定情報を取得しているが、これに限られない。情報取得部２０は、個人によるジェスチャ動作を個人特定情報として取得しても構わない。
【０１１０】
この場合、情報取得部２０は、例えばジェスチャ動作を行うユーザを撮像する撮像装置として機能する。情報取得制御部６２は、例えばスタートボタン４０が押下されると、所定時間、情報取得部２０を、ジェスチャ動作を行うユーザを撮像可能な状態とする。情報取得部２０は、所定時間に亘って動作するユーザを撮像する。情報取得制御部６２は、情報取得部２０が取得したユーザの像を解析することで、ジェスチャ動作を特定する。情報登録部６３は、特定されたジェスチャ動作を示す個人特定情報を、記憶部７０に記憶する。
【０１１１】
また、情報取得制御部６２は、例えばストップボタン５０が押下されたときも、情報判定部６４が個人特定情報の認証を行うために、所定時間、情報取得部２０を、ジェスチャ動作を行うユーザを撮像可能な状態とする。
【０１１２】
この取得態様の場合も、ユーザがジェスチャ動作を行うだけで、充放電装置１により個人特定情報が取得される。つまり、充放電装置１は、簡易な手法で、ユーザの意図に反して充放電が停止されることを防止することが可能となる。
【０１１３】
＜変形例＞
情報取得部２０が、カード類、生体、携帯情報端末又は電動車両１００のリモコンキーのいずれかから取得した個人特定情報を、充放電の開始条件又は停止条件の１つとして取扱うものとして説明した。しかし、これに限らず、複数の対象物のうちの少なくとも２つ以上から取得した個人特定情報を、充放電の開始条件又は停止条件として取扱っても構わない。この場合、充放電装置１は、例えば、個人特定情報の認証を対象物毎に行い、その結果、全ての認証が成功したと判定した場合に、車載蓄電池１０２に対する充放電を停止し、かつコネクタ３のロックを解除する。
【０１１４】
また、複数種類の個人特定情報（例：顔の特徴と音声の特徴）を用いて、充放電の開始又は停止の制御が行われても構わない。この場合、充放電装置１は、例えば、個人特定情報の認証をその種類毎に行い、その結果、全ての認証が成功したと判定した場合に、車載蓄電池１０２に対する充放電を停止し、かつコネクタ３のロックを解除する。
【０１１５】
＜参考形態＞
上記では、パスワード以外の個人特定情報を用いて、車載蓄電池１０２に対する充放電の開始又は停止が制御される場合について説明したが、これに限らず、個人特定情報としてパスワードを用いても構わない。
【０１１６】
例えば、情報取得部２０は、ユーザによる入力操作を受付けることで、パスワード（又はキーワード）を取得する。この場合の情報取得部２０は、例えばタッチパネル３０により実現される。
【０１１７】
情報取得制御部６２は、例えばスタートボタン４０が押下されると、所定時間、タッチパネル３０を、パスワードの入力を受付可能な状態とする。情報取得制御部６２は、例えば、数字及び／又は英字の一覧をタッチパネル３０に表示する。ユーザは、この一覧に対する入力操作を行うことでパスワードを設定する。情報登録部６３は、設定されたパスワードを記憶部７０に記憶する。また、情報取得制御部６２は、例えば、少なくとも１つの絵柄を入力ボタンとして表示しても構わない。この場合、情報取得部２０は、入力操作を受付けた絵柄をパスワードとして取得する。
【０１１８】
また、情報取得制御部６２は、例えばストップボタン５０が押下されたときも、情報判定部６４がパスワードの認証を行うために、所定時間、タッチパネル３０を、パスワードの入力を受付可能な状態とする。
【０１１９】
なお、情報取得制御部６２は、パスワードを入力させる代わりに、ランダムパスワードを発行し、タッチパネル３０に表示させても構わない。この場合、情報登録部６３は、情報取得制御部６２が発行したランダムパスワードを、情報取得部２０が取得したパスワードとして記憶部７０に記憶する。
【０１２０】
このように、充放電装置１は、パスワードを用いた場合も、ユーザの意図に反して充放電が停止されることを防止できる。但し、パスワードを用いた場合には、上述したようなパスワードを用いることに起因した事態が生じてしまうことについては留意されたい。
【０１２１】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【０１２２】
図３は、本実施形態に係る充放電システムの構成例を示す図である。図３に示すように、本実施形態の充放電システムは、充放電装置１に代えて充放電装置１ａを備える点、及び、充放電装置１ａが通信回線網２００を介してサーバ３００に通信可能に接続される点において、実施形態１の充放電システムとは異なる。また、本実施形態の充放電システムは、サーバ３００が通信回線網２００を介して携帯情報端末４００に通信可能に接続される点においても、実施形態１の充放電システムとは異なる。以下では、実施形態１の充放電システムと異なる点を主として説明する。
【０１２３】
＜充放電装置の構成＞
充放電装置１ａは、充放電装置本体２の代わりに充放電装置本体２ａを備える。充放電装置本体２ａは、情報取得部２０に代えて情報受信部８０を備え、かつ制御部６０に代えて制御部６０ａを備える。
【０１２４】
制御部６０ａは、充放電装置１ａを統括的に制御するものであり、主として、充放電制御部６１、及びコネクタ制御部６５を備える。つまり、制御部６０ａは、制御部６０の情報取得制御部６２、情報登録部６３及び情報判定部６４を備えない構成である。本実施形態では、情報取得制御部６２、情報登録部６３及び情報判定部６４の機能、並びに、情報取得制御部６２の制御対象である情報取得部２０の機能は、サーバ３００が有している。
【０１２５】
情報受信部８０は、サーバ３００から送信される、コネクタロック部３１にコネクタ３をロックさせるためのコネクタロック指示を受信する。コネクタ制御部６５は、情報受信部８０がコネクタロック指示を受信した場合、コネクタロック部３１を制御することで、コネクタ３をロックする。その後、充放電制御部６１は、電動車両１００に対する充放電を開始する。
【０１２６】
また、情報受信部８０は、サーバ３００から送信される、コネクタロック部３１にコネクタ３のロックを解除させるためのコネクタロック解除指示を受信する。コネクタ制御部６５は、情報受信部８０がコネクタロック解除指示を受信した場合、コネクタロック部３１を制御することで、コネクタ３のロックを解除する。また、充放電制御部６１は、コネクタロック解除指示を受信した場合、電動車両１００に対する充放電を停止する。
【０１２７】
＜サーバの構成＞
サーバ３００は、通信回線網２００を介して充放電装置１ａ及び携帯情報端末４００と通信可能に接続される。また、サーバ３００は、情報取得部３０１、情報送信部３０２、制御部３０３、及び記憶部３０４を備える。
【０１２８】
情報取得部３０１は、情報取得部２０と同様、前記充放電装置の操作前から個人が予め所有している個人特定情報を取得する。本実施形態では特に、情報取得部３０１は、パスワード以外の個人特定情報を取得する。
【０１２９】
制御部３０３は、充放電装置１を統括的に制御するものであり、情報取得制御部３１１、情報登録部３１２、及び情報判定部３１３を備える。
【０１３０】
情報取得制御部３１１は、情報取得制御部６２と同様、情報取得部３０１が個人特定情報を取得できるように、情報取得部３０１を制御する。
【０１３１】
情報登録部３１２は、情報登録部６３と同様、情報取得部３０１が取得した個人特定情報を記憶部７０に記憶することで、個人特定情報を登録する。情報送信部３０２は、情報登録部３１２が個人特定情報を登録した場合に、コネクタロック指示を充放電装置１ａに送信する。
【０１３２】
情報判定部３１３は、情報判定部６４と同様、情報登録部６３が登録した個人特定情報と、充放電を停止するときに情報取得部２０が取得した個人特定情報とが一致するか否かを判定することで、個人特定情報の認証を行う。情報送信部３０２は、情報判定部３１３により、これら２つの個人特定情報が一致すると判定された場合に、コネクタロック解除指示を充放電装置１ａに送信する。
【０１３３】
記憶部３０４は、記憶部７０と同様、サーバ３００による処理に必要な情報を記憶する。記憶部３０４は、例えば、情報登録部３１２が登録した個人特定情報を記憶する。
【０１３４】
なお、所定の停止条件を満たした場合には、実施形態１と同様、充放電装置１ａは、個人特定情報の認証を行わず、車載蓄電池１０２に対する充放電を停止する。
【０１３５】
＜個人特定情報の取得態様＞
本実施形態における情報取得部３０１による個人特定情報の取得態様の一例について説明する。情報取得部３０１は、例えば、携帯情報端末４００から個人特定情報を取得する。
【０１３６】
例えば、充放電装置１ａでは、スタートボタン４０が押下されると、制御部６０ａは、携帯情報端末４００からサーバ３００へ個人特定情報を送信するようユーザに促すための通知を、タッチパネル３０を介して行う。携帯情報端末４００において当該通知を行わせても構わない。
【０１３７】
携帯情報端末４００は、当該通知を確認したユーザの入力操作に基づき、通信回線網２００を介してサーバ３００にアクセスすることで、携帯情報端末４００に記憶された個人特定情報（例：電話番号、メールアドレス、氏名又は住所）を送信する。サーバ３００では、情報取得制御部３１１は、携帯情報端末４００からのアクセスを受けて、例えば、個人特定情報の受付画面を携帯情報端末４００に表示させる。携帯情報端末４００は、受付画面に含まれる送信ボタンに対する入力操作を受け付けることで、サーバ３００に個人特定情報を送信する。サーバ３００では、情報登録部３１２は、情報取得部３０１が受信した個人特定情報を、記憶部３０４に記憶する。また、制御部３０３は、情報送信部３０２を制御して、個人特定情報の登録を条件として、コネクタロック指示を充放電装置１ａに送信する。
【０１３８】
また、充放電装置１ａでは、例えばストップボタン５０が押下された場合も、制御部６０ａは、携帯情報端末４００からサーバ３００へ個人特定情報を送信するようユーザに促すための通知を、タッチパネル３０又は携帯情報端末４００を介して行う。これにより、スタートボタン４０が押下された場合と同様、携帯情報端末４００はサーバ３００に個人特定情報を送信する。サーバ３００では、情報判定部３１３は、情報取得部３０１が今回取得した個人特定情報と、情報登録部３１２が登録した個人特定情報とが一致しているか否かを判定する。一致している場合には、制御部３０３は、情報送信部３０２を制御して、２つの個人特定情報の一致を条件として、コネクタロック解除指示を充放電装置１ａに送信する。
【０１３９】
また、充放電装置１ａでは、例えばスタートボタン４０又はストップボタン５０が押下されたときに、制御部６０ａは、サーバ３００へアクセスするための二次元コードを、タッチパネル３０に表示しても構わない。
【０１４０】
この場合、ユーザは、携帯情報端末４００が備える、２次元コードを読取る読取部によって、タッチパネル３０に表示された２次元コードを読取る。携帯情報端末４００は、読取部が２次元コードを読取ると、サーバ３００のＵＲＬ（Uniform Resource Locator）を表示する。携帯情報端末４００は、表示したＵＲＬに対する入力操作を受け付けることで、サーバ３００にアクセスする。この場合、携帯情報端末４００において二次元コードを生成する必要がない。そのため、携帯情報端末４００に不慣れなユーザであっても簡易に、情報取得部３０１に個人特定情報を取得させることができる。
【０１４１】
＜主な効果＞
このように、充放電装置１の操作前から個人が予め所有している個人特定情報を取得したサーバ３００によって、充放電装置１ａによる充放電の開始又は停止を制御できる。そのため、実施形態１と同様、簡易な手法で、ユーザの意図に反して充放電が停止されることを防止することが可能となる。また、本実施形態においても、個人特定情報は、充放電装置１ａを使用するための会員登録が行われることなく取得可能な情報である。そのため、充放電装置１ａを使用するための会員登録を事前に行う必要が無い。そのため、実施形態１と同様、充放電装置１ａの利便性を向上させることができる。
【０１４２】
＜変形例＞
携帯情報端末４００により、生体情報又はジェスチャ動作を取得できる場合には、情報取得部３０１は、生体情報又はジェスチャ動作を個人特定情報として取得しても構わない。
【０１４３】
＜参考形態＞
なお、参考形態として、実施形態１と同様、携帯情報端末４００は、入力画面において入力されたパスワードをサーバ３００に送信しても構わない。この場合、サーバ３００では、情報取得部３０１が個人特定情報としてパスワードを取得する。充放電の開始前の取得であれば、情報登録部３１２が当該パスワードを登録すると共に、情報送信部３０２がコネクタロック指示を充放電装置１ａに送信する。充放電の停止前の取得であれば、情報判定部３１３が、取得したパスワードと登録したパスワードとが一致するか否かの判定を行うと共に、一致した場合には、情報送信部３０２がコネクタロック解除指示を充放電装置１ａに送信する。
【０１４４】
〔ソフトウェアによる実現例〕
充放電装置１、１ａ及びサーバ３００の制御ブロック（特に、制御部６０、６０ａ及び３０３のそれぞれが備える各部）は、集積回路（ＩＣチップ）等に形成された論理回路（ハードウェア）によって実現してもよいし、ソフトウェアによって実現してもよい。
【０１４５】
後者の場合、充放電装置１、１ａ及びサーバ３００は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１４６】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１４７】
１、１ａ  充放電装置、３  コネクタ、２０、３０１  情報取得部、３１  コネクタロック部、６３、３１２  情報登録部、６４、３１３  情報判定部、１００  電動車両、１０１  充電口、１０２  蓄電池（車載蓄電池）、３００  サーバ、３０２  情報送信部、４００  携帯情報端末
【図１】
2019170025.tif 000003
【図２】
2019170025.tif 000004
【図３】
2019170025.tif 000005